【手続補正書】
【提出日】平成30年4月12日(2018.4.12)
【手続補正１】
【補正対象書類名】特許請求の範囲
【補正対象項目名】全文
【補正方法】変更
【補正の内容】
【特許請求の範囲】
【請求項１】
ワイヤレス通信の方法であって、
半二重周波数分割二重通信（ＨＤ−ＦＤＤ）モードで動作するユーザ機器（ＵＥ）を示す前記ＵＥからのメッセージを受信することと、
前記ＵＥの前記ＨＤ−ＦＤＤ能力に少なくとも部分的に基づいてハイブリッド自動再送要求（ＨＡＲＱ）処理制限を選択することと、ここにおいて、前記処理制限は、ＨＡＲＱ処理の数を制限することを備え、
を備え、
前記選択されたＨＡＲＱ処理制限に基づいてアップリンク（ＵＬ）送信とダウンリンク（ＤＬ）サブフレーム間の衝突を予測することと、
前記予測された衝突を避けるために、前記選択されたＨＡＲＱ処理制限に基づいて送信をスケジューリングすることと、
を備えることを特徴とする、方法。
【請求項２】
前記メッセージは、前記ＵＥの前記ＨＤ−ＦＤＤ能力を識別する、請求項１に記載の方法。
【請求項３】
前記ＨＡＲＱ処理制限は、前記ＵＥのためのスケジューリングモードを備える、請求項１に記載の方法。
【請求項４】
前記ＨＡＲＱ処理制限は、８個未満のＵＬ  ＨＡＲＱ処理の制約を備える、請求項３に記載の方法。
【請求項５】
前記予測された衝突を避けるために前記送信をスケジューリングすることは、
ＵＬサブフレームをパンクチャすることを備える、請求項１に記載の方法。
【請求項６】
前記予測された衝突を避けると、次のサブフレームの中でＨＡＲＱ送信を再び始めるためにＵＬ許可を送信することをさらに備える、請求項５に記載の方法。
【請求項７】
前記ＤＬサブフレームは、サブフレーム０（ＳＦ０）またはサブフレーム５（ＳＦ５）を備える、請求項４に記載の方法。
【請求項８】
前記ＤＬサブフレームは、物理ブロードキャストチャネル（ＰＢＣＨ）送信、ページング送信、システム情報メッセージ、または同期チャネルのうちの少なくとも１つを備える、請求項１に記載の方法。
【請求項９】
チャネル品質インジケータ（ＣＱＩ）またはプリコーディング行列インジケータ（ＰＭＩ）に利用可能である構成の数を制限することをさらに備える、請求項１に記載の方法。
【請求項１０】
ワイヤレス通信のための装置であって、
半二重周波数分割二重通信（ＨＤ−ＦＤＤ）モードで動作するユーザ機器（ＵＥ）を示す前記ＵＥからのメッセージを受信するための手段と、
前記ＵＥの前記ＨＤ−ＦＤＤ能力に少なくとも部分的に基づいてハイブリッド自動再送要求（ＨＡＲＱ）処理制限を選択するための手段と、
を備え、
前記選択されたＨＡＲＱ処理制限に基づいてアップリンク（ＵＬ）送信とダウンリンク（ＤＬ）サブフレーム間の衝突を予測するための手段と、
前記予測された衝突を避けるために送信をスケジューリングするための手段と、
を備えることを特徴とする、装置。
【請求項１１】
前記メッセージは、前記ＵＥの前記二重通信能力を識別する、請求項１０に記載の装置。
【請求項１２】
前記予測された衝突を避けるために前記送信をスケジューリングするための前記手段は、
ＵＬサブフレームをパンクチャするための手段を備える、請求項１０に記載の装置。
【請求項１３】
前記予測された衝突を避けると、次のサブフレームの中でＨＡＲＱ送信を再び始めるためにＵＬ許可を送信するための手段をさらに備える、請求項１２に記載の装置。
【請求項１４】
チャネル品質インジケータ（ＣＱＩ）またはプリコーディング行列インジケータ（ＰＭＩ）に利用可能である構成の数を制限するための手段をさらに備える、請求項１０に記載の装置。
【請求項１５】
ワイヤレス通信のためのコードを記憶する非一時的なコンピュータ読取可能な媒体であって、前記コードは、
半二重周波数分割二重通信（ＨＤ−ＦＤＤ）モードで動作するユーザ機器（ＵＥ）を示す前記ＵＥからのメッセージを受信することと、
前記ＵＥの前記ＨＤ−ＦＤＤ能力に少なくとも部分的に基づいてハイブリッド自動再送要求（ＨＡＲＱ）処理制限を選択することと、
が実行可能である命令を備え、前記コードが、
前記選択されたＨＡＲＱ処理制限に基づいてアップリンク（ＵＬ）送信とダウンリンク（ＤＬ）サブフレーム間の衝突を予測することと、
前記予測された衝突を避けるために送信をスケジューリングすることと、
が実行可能である命令を備えることを特徴とする、非一時的なコンピュータ読取可能な媒体。
【手続補正２】
【補正対象書類名】明細書
【補正対象項目名】００８０
【補正方法】変更
【補正の内容】
【００８０】
[0092]  本開示の先の説明は、当業者が本開示を製造または使用することを可能にするために提供される。本開示への様々な修正は、当業者にとって容易に明らかであり、本明細書に定義された一般的な原理は、本開示の範囲から逸脱することなく、他のバリエーションに適用され得る。本開示の全体にわたって、「例（example）」または「例示的（exemplary）」という用語は、例または実例を示すものであり、記載された例に対するいかなる選好を暗に示すものでもいかなる選好を必要とするものでもない。よって、本開示は、本明細書に説明された例および設計に限定されるべきではなく、本明細書に開示された原理および新規の特徴と一致する最も広い範囲が付与されるべきである。
以下に、本願出願の当初の特許請求の範囲に記載された発明を付記する。
［Ｃ１］
ワイヤレス通信の方法であって、
ユーザ機器（ＵＥ）の二重通信能力を示す前記ＵＥからのメッセージを受信することと、
前記ＵＥの前記二重通信能力に少なくとも部分的に基づいてハイブリッド自動再送要求（ＨＡＲＱ）処理制限を選択することと、
を備える、方法。
［Ｃ２］
前記メッセージは、前記ＵＥの前記二重通信能力を識別する、Ｃ１に記載の方法。
［Ｃ３］
前記ＨＡＲＱ処理制限は、前記ＵＥのためのスケジューリングモードを備える、Ｃ１に記載の方法。
［Ｃ４］
前記ＵＥの前記二重通信能力は、半二重周波数分割二重通信（ＨＤ−ＦＤＤ）能力である、Ｃ１に記載の方法。
［Ｃ５］
前記ＨＡＲＱ処理制限は、８個未満のアップリンク（ＵＬ）ＨＡＲＱ処理の制約を備える、Ｃ４に記載の方法。
［Ｃ６］
前記選択されたＨＡＲＱ処理制限に基づいてＵＬ送信とダウンリンク（ＤＬ）サブフレーム間の衝突を予測することと、
前記予測された衝突を避けるために送信をスケジューリングすることと、
をさらに備える、Ｃ１に記載の方法。
［Ｃ７］
前記予測された衝突を避けるために前記送信をスケジューリングすることは、
ＵＬサブフレームをパンクチャすることを備える、Ｃ６に記載の方法。
［Ｃ８］
前記予測された衝突を避けると、次のサブフレームの中でＨＡＲＱ送信を再び始めるためにＵＬ許可を送信することをさらに備える、Ｃ７に記載の方法。
［Ｃ９］
前記ＤＬサブフレームは、サブフレーム０（ＳＦ０）またはサブフレーム５（ＳＦ５）を備える、Ｃ６に記載の方法。
［Ｃ１０］
前記ＤＬサブフレームは、物理ブロードキャストチャネル（ＰＢＣＨ）送信、ページング送信、システム情報メッセージ、または同期チャネルのうちの少なくとも１つを備える、Ｃ６に記載の方法。
［Ｃ１１］
チャネル品質インジケータ（ＣＱＩ）またはプリコーディング行列インジケータ（ＰＭＩ）に利用可能である構成の数を制限することをさらに備える、Ｃ１に記載の方法。
［Ｃ１２］
ワイヤレス通信のための装置であって、
ユーザ機器（ＵＥ）の二重通信能力を示す前記ＵＥからのメッセージを受信するための手段と、
前記ＵＥの前記二重通信能力に少なくとも部分的に基づいてハイブリッド自動再送要求（ＨＡＲＱ）処理制限を選択するための手段と、
を備える、装置。
［Ｃ１３］
前記メッセージは、前記ＵＥの前記二重通信能力を識別する、Ｃ１２に記載の装置。
［Ｃ１４］
前記ＨＡＲＱ処理制限は、前記ＵＥのためのスケジューリングモードを備える、Ｃ１２に記載の装置。
［Ｃ１５］
前記ＵＥの前記二重通信能力は、半二重周波数分割二重通信（ＨＤ−ＦＤＤ）能力である、Ｃ１２に記載の装置。
［Ｃ１６］
前記ＨＡＲＱ処理制限は、８個未満のアップリンク（ＵＬ）ＨＡＲＱ処理の制約を備える、Ｃ１５に記載の装置。
［Ｃ１７］
前記選択されたＨＡＲＱ処理制限に基づいてＵＬ送信とダウンリンク（ＤＬ）サブフレーム間の衝突を予測するための手段と、
前記予測された衝突を避けるために送信をスケジューリングするための手段と、
をさらに備える、Ｃ１２に記載の装置。
［Ｃ１８］
前記予測された衝突を避けるために前記送信をスケジューリングするための前記手段は、
ＵＬサブフレームをパンクチャするための手段を備える、Ｃ１７に記載の装置。
［Ｃ１９］
前記予測された衝突を避けると、次のサブフレームの中でＨＡＲＱ送信を再び始めるためにＵＬ許可を送信するための手段をさらに備える、Ｃ１８に記載の装置。
［Ｃ２０］
チャネル品質インジケータ（ＣＱＩ）またはプリコーディング行列インジケータ（ＰＭＩ）に利用可能である構成の数を制限するための手段をさらに備える、Ｃ１２に記載の装置。
［Ｃ２１］
ワイヤレス通信のための装置であって、
プロセッサと、前記プロセッサと電子通信をするメモリと、前記メモリに記憶された命令と、前記命令は、前記装置に、
ユーザ機器（ＵＥ）の二重通信能力を示す前記ＵＥからのメッセージを受信することと、
前記ＵＥの前記二重通信能力に少なくとも部分的に基づいてハイブリッド自動再送要求（ＨＡＲＱ）処理制限を選択することと、
を行わせるために前記プロセッサによって実行可能である、
を備える、装置。
［Ｃ２２］
前記メッセージは、前記ＵＥの前記二重通信能力を識別する、Ｃ２１に記載の装置。
［Ｃ２３］
前記ＨＡＲＱ処理制限は、前記ＵＥのためのスケジューリングモードを備える、Ｃ２１に記載の装置。
［Ｃ２４］
前記ＵＥの前記二重通信能力は、半二重周波数分割二重通信（ＨＤ−ＦＤＤ）能力である、Ｃ２１に記載の装置。
［Ｃ２５］
前記ＨＡＲＱ処理制限は、８個未満のアップリンク（ＵＬ）ＨＡＲＱ処理の制約を備える、Ｃ２４に記載の装置。
［Ｃ２６］
前記命令は、前記装置に、
前記選択されたＨＡＲＱ処理制限に基づいてＵＬ送信とダウンリンク（ＤＬ）サブフレーム間の衝突を予測することと、
前記予測された衝突を避けるために送信をスケジューリングすることと、
を行わせるために前記プロセッサによってさらに実行可能である、Ｃ２１に記載の装置。
［Ｃ２７］
前記予測された衝突を避けるために前記送信をスケジューリングすることは、
ＵＬサブフレームをパンクチャすることを備える、Ｃ２６に記載の装置。
［Ｃ２８］
前記命令は、前記装置に、
前記予測された衝突を避けると、次のサブフレームの中でＨＡＲＱ送信を再び始めるためにＵＬ許可を送信することを行わせるために前記プロセッサによってさらに実行可能である、Ｃ２７に記載の装置。
［Ｃ２９］
前記命令は、前記装置に、
チャネル品質インジケータ（ＣＱＩ）またはプリコーディング行列インジケータ（ＰＭＩ）に利用可能である構成の数を制限することを行わせるために前記プロセッサによってさらに実行可能である、Ｃ２１に記載の装置。
［Ｃ３０］
ワイヤレス通信のためのコードを記憶する非一時的なコンピュータ読取可能な媒体であって、前記コードは、
ユーザ機器（ＵＥ）の二重通信能力を示す前記ＵＥからのメッセージを受信することと、
前記ＵＥの前記二重通信能力に少なくとも部分的に基づいてハイブリッド自動再送要求（ＨＡＲＱ）処理制限を選択することと、
が実行可能である命令を備える、非一時的なコンピュータ読取可能な媒体。